(57)【要約】【課題】  薄型でフレキシビリティに富み、かつ２ＧＨｚを越えるような高周波信号の伝送周波数帯域における伝送損失の増大を抑制することが可能な信号伝送用ケーブルの提供。【解決手段】  偏平状の信号導体１と、信号導体１の両側にかつ信号導体１と同一平面上に配置された偏平状の接地導体２，３と、信号導体１および接地導体２，３を上下から挟むようにして被覆する電気絶縁薄膜からなる電気絶縁層４，５と、信号導体１、接地導体２，３および電気絶縁層４，５を一括包囲して形成した金属遮蔽層１５と、金属遮蔽層１５を被覆する保護被覆層１６とによって構成される。【選択図】図３
2008300343.tif 000002
【特許請求の範囲】
【請求項１】
偏平状の信号導体と、該信号導体の両側にかつ該信号導体と略同一平面上に形成された偏平状の接地導体と、前記信号導体および前記接地導体を覆うように形成された電気絶縁層と、該電気絶縁層を覆うように形成された金属遮蔽層とを備えた信号伝送用ケーブルにおいて、前記信号導体および前記接地導体は良導電性金属からなり、該良導電性金属からなる信号導体および接地導体の表面には該良導電性金属よりも導電率が小なる金属の層を形成しないで構成されることを特徴とする信号伝送用ケーブル。
【請求項２】
偏平状の信号導体と、該信号導体の両側にかつ該信号導体と略同一平面上に形成された偏平状の接地導体と、前記信号導体および前記接地導体を覆うように形成された電気絶縁層と、該電気絶縁層を覆うように形成された金属遮蔽層とを備えた信号伝送用ケーブルにおいて、前記金属遮蔽層は、ケーブル横断面において単一の金属層からなり、前記信号導体、前記接地導体および前記電気絶縁層を一括包囲して構成されることを特徴とする信号伝送用ケーブル。
【発明の詳細な説明】
【技術分野】
【０００１】  本発明は、薄型でフレキシビリティに富み、かつ優れた電気特性を有する信号伝送用ケーブル、特に、携帯電話、ＰＣ（パーソナルコンピュータ）、ＰＤＡ（Ｐｅｒｓｏｎａｌ  Ｄｉｇｉｔａｌ  Ａｓｓｉｓｔａｎｃｅ）等の電子機器における高周波信号伝送に適した信号伝送用ケーブルに関する。
【背景技術】
【０００２】  従来、携帯電話、ＰＣ、ＰＤＡ等の電子機器においては、付属アンテナからメイン基板までのアンテナ給電線として同軸ケーブルが使用されてきている。【０００３】  近年、携帯電話やノート型ＰＣは、二つ折りタイプのものが普及してきていると共に、小型化および薄型化されてきており、アンテナ給電線には、二つ折りするヒンジ部を挿通させるためのフレキシビリティと、狭い空間に配線するための薄型化が要求される。【０００４】  しかし、同軸ケーブルは、丸型で外径が大きいため、アンテナ給電線としての前記のような要求を満たすことはできない。【０００５】  このような同軸ケーブルの欠点を改良するため、図７に示すような信号伝送用ケーブルが提案されている（特許文献１）。
【特許文献１】特開２００６−２０２７１４号公報（図２、００１６段落乃至００３２段落）
【０００６】  この信号伝送用ケーブルは、銅箔などの金属箔からなる偏平状の信号導体１０１と、信号導体１０１の両側にかつ信号導体１０１と同一平面上に配置され、銅箔などの金属箔からなる偏平状の接地導体１０２，１０３と、信号導体１０１および接地導体１０２，１０３を上下から挟むようにして被覆する電気絶縁薄膜からなる電気絶縁層１０４，１０５と、電気絶縁層１０４，１０５を上下から挟むようにして被覆する銅箔などの金属箔からなる偏平状の遮蔽層１０６，１０７と、遮蔽層１０６，１０７を被覆する電気絶縁薄膜からなる保護被覆層１０８，１０９とによって構成されている。【０００７】  信号導体１０１および接地導体１０２，１０３が銅導体の場合には、これらの表面にニッケル下地めっきおよび金めっき層１１０，１１１，１１２を形成して半田付け性を向上させ、端末でのコネクタとの接続性を良好にしている。【０００８】  また、遮蔽層１０６，１０７の内側面にはそれぞれ導電性接着層１１３，１１４が設けられており、導電性接着層１１３と導電性接着層１１４とを向き合うように配置し、熱融着等の方法で導電性接着層１１３と導電性接着層１１４とを接着させることにより、信号導体１０１は遮蔽層１０６，１０７でもって電気的に遮蔽されるようになっている。
【発明の開示】
【発明が解決しようとする課題】
【０００９】  前述した信号伝送用ケーブルを携帯電話、ＰＣ、ＰＤＡ等の電子機器のアンテナ給電線として使用する場合は、信号伝送用ケーブルには２ＧＨｚを越えるような高周波信号が伝送される。【００１０】  このような、２ＧＨｚを越えるような高周波信号の伝送では、所謂表皮効果と呼ばれる現象によって数ミクロンの表面層に電流が集中し、信号導体１０１および接地導体１０２，１０３においては、導電率が比較的小さい（電気抵抗が比較的大きい）ニッケルからなるめっき層１１０，１１１，１１２に電流が集中するので伝送損失が発生し、信号伝送用ケーブルの伝送損失を増大させる大きな要因となっている。【００１１】  また、遮蔽層１０６，１０７に関しては、導電率が比較的小さい（電気抵抗が比較的大きい）導電性接着層１１３，１１４に電流が集中して伝送損失が発生し、これも信号伝送用ケーブルの伝送損失増大の大きな要因となっている。【００１２】  そこで、本発明は、薄型でフレキシビリティに富み、かつ２ＧＨｚを越えるような高周波信号の伝送周波数帯域における伝送損失の増大を抑制することが可能な信号伝送用ケーブルを提供することを目的としている。
【課題を解決するための手段】
【００１３】  前記目的を達成するため、請求項１の発明は、偏平状の信号導体と、該信号導体の両側にかつ該信号導体と略同一平面上に形成された偏平状の接地導体と、前記信号導体および前記接地導体を覆うように形成された電気絶縁層と、該電気絶縁層を覆うように形成された金属遮蔽層とを備えた信号伝送用ケーブルにおいて、前記信号導体および前記接地導体は良導電性金属からなり、該良導電性金属からなる信号導体および接地導体の表面には該良導電性金属よりも導電率が小なる金属の層を形成しないで構成される信号伝送用ケーブルを特徴としている。【００１４】  また、請求項２の発明は、偏平状の信号導体と、該信号導体の両側にかつ該信号導体と略同一平面上に形成された偏平状の接地導体と、前記信号導体および前記接地導体を覆うように形成された電気絶縁層と、該電気絶縁層を覆うように形成された金属遮蔽層とを備えた信号伝送用ケーブルにおいて、前記金属遮蔽層は、ケーブル横断面において単一の金属層からなり、前記信号導体、前記接地導体および前記電気絶縁層を一括包囲して構成される信号伝送用ケーブルを特徴としている。
【発明の効果】
【００１５】  請求項１の発明では、良導電性金属からなる信号導体および接地導体の表面に、該良導電性金属よりも導電率が小なる金属の層を形成しない構成としたため、２ＧＨｚを越えるような高周波信号の伝送での表皮効果による伝送損失の増大をできる限り小さく抑えることが可能となる。【００１６】  また、請求項２の発明では、金属遮蔽層は、ケーブル横断面において単一の金属層からなり、信号導体、接地導体および電気絶縁層を一括包囲する構成としたため、導電率が比較的小さい（電気抵抗が比較的大きい）導電性接着層１１３，１１４を遮蔽層１０６，１０７の内側面に形成する必要がなくなり、２ＧＨｚを越えるような高周波信号の伝送での表皮効果による伝送損失の増大をできる限り小さく抑えることが可能となる。【００１７】  このように、請求項１および請求項２の発明によれば、薄型でフレキシビリティに富み、かつ２ＧＨｚを越えるような高周波信号の伝送周波数帯域における伝送損失の増大を抑制することができる信号伝送用ケーブルを実現できる。
【発明を実施するための最良の形態】
【００１８】  以下、本発明の信号伝送用ケーブル最良の実施の形態を添付図面を参照して説明する。
【実施例１】
【００１９】  本実施例１の信号伝送用ケーブルは、図１に示すように、偏平状の信号導体１と、信号導体１の両側にかつ信号導体１と同一平面上に配置された偏平状の接地導体２，３と、信号導体１および接地導体２，３を上下から挟むようにして被覆する電気絶縁薄膜からなる電気絶縁層４，５と、電気絶縁層４，５を上下から挟むようにして被覆する偏平状の金属遮蔽層６，７と、金属遮蔽層６，７を上下から挟むようにして被覆する保護被覆層８，９とによって構成されている。【００２０】  金属遮蔽層６，７の内側面にはそれぞれ導電性接着層１３，１４が設けられており、導電性接着層１３と導電性接着層１４とを向き合うように配置し、熱融着等の方法で導電性接着層１３と導電性接着層１４とを接着させることにより、信号導体１は金属遮蔽層６，７でもって電気的に遮蔽される。【００２１】  信号導体１および接地導体２，３は、共に良導電性の金属で形成されており、具体的には、産業的に良導電性金属として一般的である銅（導電率：５．７６×１０７ジーメンス／ｍ）を箔状に加工したものを電気絶縁層４，５に積層することにより、または銅を電気絶縁層４，５に蒸着あるいはめっきを施すことにより形成することが好ましく、銅以外の金属としてはアルミニウム（導電率：３．９６×１０７ジーメンス／ｍ）をあげることができる。【００２２】  金属遮蔽層６，７は、信号導体１や接地導体２，３と同様に、銅またはアルミニウムのような良導電性の金属で形成することが好ましく、これらの金属を箔状に加工したものを保護被覆層８，９に積層して、またはこれらの金属を保護被覆層８，９蒸着あるいはめっきを施すことにより形成することが好ましい。【００２３】  電気絶縁層４，５は、プラスチックからなる電気絶縁薄膜でもって形成することが好ましく、このようなプラスチックとしては、ポリイミド、ポリエチレンテレフタレート（ＰＥＴ）、液晶ポリマ（ＬＣＰ）、ポリテトラフルオロエチレン（ＰＴＦＥ）等をあげることができる。【００２４】  保護被覆層８，９は、ポリエチレンテレフタレート（ＰＥＴ）、ポリエチレン、ポリ塩化ビニル等のプラスチック薄膜により形成することが好ましい。【００２５】  本実施例１の信号伝送用ケーブルは、信号導体１および接地導体２，３の表面にニッケル（導電率：１．４５×１０７ジーメンス／ｍ）からなるめっき層のような導電率が小さい層を形成しないものであり、ニッケルめっき層を形成した場合との伝送損失の差、すなわち、ニッケルめっき層の有無による伝送損失の差［（ニッケルめっき層有り）−（ニッケルめっき層無し）］＝−２．１ｄＢであった。【００２６】  なお、前記伝送損失は、信号導体１および接地導体２，３として厚さ１８μｍの銅箔、電気絶縁層４，５として厚さ１５０μｍの液晶ポリマー（ＬＣＰ）薄膜を使用した信号伝送用ケーブル（長さ＝１５０ｍｍ）を用い、周波数２ＧＨｚで測定した結果である。
【実施例２】
【００２７】  本実施例２の信号伝送用ケーブルは、図２に示すように、偏平状の信号導体１と、信号導体１の両側にかつ信号導体１と同一平面上に配置された偏平状の接地導体２，３と、信号導体１および接地導体２，３を上下から挟むようにして被覆する電気絶縁薄膜からなる電気絶縁層４，５と、信号導体１、接地導体２，３および電気絶縁層４，５を一括包囲するように形成された保護被覆層１６と一体化された金属遮蔽層１５とによって構成されている。【００２８】  信号導体１および接地導体２，３の表面にはニッケル下地めっきおよび金（金の導電率：４．１×１０７ジーメンス／ｍ）のめっき層１０，１１，１２が形成されている。【００２９】  金属遮蔽層１５は、ケーブル横断面において単一の金属層（銅箔）で形成され、かつ金属層の端部１５ａ，１５ｂ同士を重ね合わせることにより信号導体１、接地導体２，３および電気絶縁層４，５を一括包囲している。【００３０】  本実施例２の信号伝送用ケーブルの前記以外の構成は前記実施例１と同じである。【００３１】  本実施例２の信号伝送用ケーブルは、金属遮蔽層１５の内側に導電性接着層を設けないものであり、導電性接着層を設けた場合との伝送損失の差、すなわち、導電性接着層の有無による伝送損失の差［（導電性接着層有り）−（導電性接着層無し）］＝−０．６ｄＢであった。【００３２】  なお、前記伝送損失は、信号導体１および接地導体２，３として厚さ１８μｍの銅箔、電気絶縁層４，５として厚さ１５０μｍの液晶ポリマー（ＬＣＰ）薄膜を使用した信号伝送用ケーブル（長さ＝１５０ｍｍ）を用い、周波数２ＧＨｚで測定した結果である。
【実施例３】
【００３３】  本実施例３の信号伝送用ケーブルは、図３に示すように、偏平状の信号導体１と、信号導体１の両側にかつ信号導体１と同一平面上に配置された偏平状の接地導体２，３と、信号導体１および接地導体２，３を上下から挟むようにして被覆する電気絶縁薄膜からなる電気絶縁層４，５と、信号導体１、接地導体２，３および電気絶縁層４，５を一括包囲するように形成された保護被覆層１６と一体化された金属遮蔽層１５とによって構成されている。【００３４】  信号導体１および接地導体２，３の表面にはニッケルめっき層のような高電気抵抗層が形成されず、また、金属遮蔽層１５は、ケーブル横断面において単一の金属層（銅箔）で形成され、かつ金属層の端部１５ａ，１５ｂ同士を重ね合わせることにより信号導体１、接地導体２，３および電気絶縁層４，５を一括包囲している。【００３５】  本実施例３の信号伝送用ケーブルの前記以外の構成は前記実施例１と同じである。【００３６】  本実施例３の信号伝送用ケーブルは、信号導体１および接地導体２，３の表面にニッケルめっき層等の高電気抵抗層を形成せず、また、金属遮蔽層１５の内側に導電性接着層を設けないものであり、２ＧＨｚを越えるような高周波信号の伝送周波数帯域における伝送損失の増大をより効果的に抑制することができる。【００３７】  図５は、本実施例３の信号伝送用ケーブルの製造方法の説明図であり、まず、図５（ａ）に示すように電気絶縁薄膜（電気絶縁層）５の片面に銅箔５０を積層した銅張積層板５１を作成し、次いで、図５（ｂ）に示すように銅箔５０をエッチングすることにより信号導体１および接地導体２，３を形成する。【００３８】  次に、図５（ｃ）に示すように、信号導体１および接地導体２，３上に、電気絶縁薄膜（電気絶縁層）４を積層し、さらに、図５（ｄ）に示すように、電気絶縁薄膜（電気絶縁層）４，５の周囲に保護被複層（図示せず）と一体化した金属遮蔽層１５を端部１５ａ，１５ｂを重ね合わせて設け、信号導体１、接地導体２，３および電気絶縁層４，５を一括包囲することによって信号伝送用ケーブルが製造される。
【実施例４】
【００３９】  本実施例４の信号伝送用ケーブルは、図４に示すように、偏平状の信号導体１と、信号導体１の両側にかつ信号導体１と同一平面上に配置された偏平状の接地導体２，３と、信号導体１、接地導体２，３および電気絶縁層４，５を一括包囲するように形成された保護被覆層１６と一体化された金属遮蔽層１５とによって構成されている。【００４０】  信号導体１および接地導体２，３の表面にはニッケルめっき層のような高電気抵抗層が形成されず、また、金属遮蔽層１５は、ケーブル横断面において単一の金属層（銅箔）で形成され、かつ金属層の端部１５ａ，１５ｂ同士を重ね合わせることにより信号導体１、接地導体２，３および電気絶縁層４，５を一括包囲している。【００４１】  また、信号導体１および接地導体２，３の上部に設けられた電気絶縁層４４は、接地導体２，３の両側部を露出するようにして形成されており、これによって、接地導体２，３と金属遮蔽層１５とはケーブル全長に亘って接触して両者間は良好な電気的導通状態が確保されるので、優れた遮蔽効果が発揮される。【００４２】  本実施例４の信号伝送用ケーブルの前記以外の構成は前記実施例１と同じである。【００４３】  本実施例４の信号伝送用ケーブルは、信号導体１および接地導体２，３の表面にニッケルめっき層等の高電気抵抗層を形成せず、また、金属遮蔽層１５の内側に導電性接着層を設けないものであり、２ＧＨｚを越えるような高周波信号の伝送周波数帯域における伝送損失の増大をより効果的に抑制することができる。【００４４】  図６は、本実施例４の信号伝送用ケーブルの製造方法の説明図であり、まず、図６（ａ）に示すように電気絶縁薄膜（電気絶縁層）５の片面に銅箔５０を積層した銅張積層板５１を作成し、次いで、図６（ｂ）に示すように銅箔５０をエッチングすることにより信号導体１および接地導体２，３を形成する。【００４５】  次に、図６（ｃ）に示すように、信号導体１および接地導体２，３上に、電気絶縁薄膜（電気絶縁層）４４を積層し、さらに、図６（ｄ）に示すように、電気絶縁薄膜（電気絶縁層）４４，５の周囲に保護被複層（図示せず）と一体化した金属遮蔽層１５を端部１５ａ，１５ｂを重ね合わせて設け、信号導体１、接地導体２，３および電気絶縁層４，５を一括包囲することによって信号伝送用ケーブルが製造される。【００４６】  なお、金属遮蔽層１５は、接地導体２，３の両側の露出部に接触するようにして形成される。【００４７】  以上、図面を参照して、本発明の最良の実施の形態を詳述してきたが、具体的な構成は、この実施の形態に限らず、本発明の要旨を逸脱しない程度の設計的変更は、本発明に含まれる。
【図面の簡単な説明】
【００４８】
【図１】  本発明の信号伝送用ケーブルの最良の実施の形態である実施例１の横断面図である。
【図２】  本発明の信号伝送用ケーブルの最良の実施の形態である実施例２の横断面図である。
【図３】  本発明の信号伝送用ケーブルの最良の実施の形態である実施例３の横断面図である。
【図４】  本発明の信号伝送用ケーブルの最良の実施の形態である実施例４の横断面図である。
【図５】  実施例３の信号伝送用ケーブルの製造方法の説明図である。
【図６】  実施例４の信号伝送用ケーブルの製造方法の説明図である。
【図７】  従来の信号伝送用ケーブルの横断面図である。
【符号の説明】
【００４９】１      信号導体
２，３  接地導体
４，５  電気絶縁層
６，７  金属遮蔽層
１５    金属遮蔽層
４４    電気絶縁層
【図１】
2008300343.tif 000003
【図２】
2008300343.tif 000004
【図３】
2008300343.tif 000005
【図４】
2008300343.tif 000006
【図５】
2008300343.tif 000007
【図６】
2008300343.tif 000008
【図７】
2008300343.tif 000009